(57)【要約】    【課題】      マルチキャリア通信において、演算量の増加を防止しつつ、ＳＣＨ同士のセル間干渉を低減すること。    【解決手段】  ＳＣＨ相関値算出部２０４は、受信データ信号とＳＣＨのシンボル系列のレプリカとの時間方向の相関値をすべてのサブキャリアについて算出する。ＳＣＨサブキャリア検出部２０５は、算出された各サブキャリアの相関値に基づいて、ＳＣＨが割り当てられたサブキャリアを検出する。コードグループ検出部２０７は、内部に基地局装置１００と共通のコードグループ番号とサブキャリアとを対応付けたテーブルを保持している。そして、ＳＣＨサブキャリア検出部２０５から出力されるサブキャリアに関する情報から、対応するコードグループを同定する。  【選択図】      図３
2006324859.tif 000002
【特許請求の範囲】
【請求項１】
複数のサブキャリアから自装置に対応付けられたスクランブルコードが属するコードグループに対応するサブキャリアを選択する選択手段と、
選択されたサブキャリアに既知信号を割り当てる割当手段と、
前記複数のサブキャリアからマルチキャリア信号を生成する生成手段と、
を有することを特徴とする基地局装置。
【請求項２】
前記選択手段は、
所定のサブキャリア数おきにサブキャリアを選択することを特徴とする請求項１記載の基地局装置。
【請求項３】
前記選択手段は、
前記スクランブルコードが属するコードグループに対応するサブキャリアに隣接するサブキャリアをさらに選択することを特徴とする請求項１記載の基地局装置。
【請求項４】
前記割当手段は、
自装置以外の基地局装置と同一の既知信号を選択されたサブキャリアに割り当てることを特徴とする請求項１記載の基地局装置。
【請求項５】
基地局装置から送信されるマルチキャリア信号であって、既知信号が割り当てられたサブキャリアを含むマルチキャリア信号を受信する受信手段と、
受信されたマルチキャリア信号から前記既知信号が割り当てられたサブキャリアを検出するサブキャリア検出手段と、
検出されたサブキャリアに対応するコードグループを、前記基地局装置のコードグループと同定するコードグループ検出手段と、
を有することを特徴とする移動局装置。
【請求項６】
前記サブキャリア検出手段は、
前記マルチキャリア信号と前記既知信号のレプリカとの相関値をすべてのサブキャリアについて算出する相関値算出部、を含み、
算出された相関値が大きい方から所定数のサブキャリアを前記既知信号が割り当てられたサブキャリアとして検出することを特徴とする請求項５記載の移動局装置。
【請求項７】
前記サブキャリア検出手段は、
前記マルチキャリア信号と前記既知信号のレプリカとの相関値をすべてのサブキャリアについて算出する相関値算出部、を含み、
算出された相関値が所定の閾値以上のサブキャリアを前記既知信号が割り当てられたサブキャリアとして検出することを特徴とする請求項５記載の移動局装置。
【請求項８】
前記相関値算出部は、
算出されたサブキャリアごとの相関値に、隣接するサブキャリアの相関値を同相加算し、同相加算後の相関値を各サブキャリアの相関値として算出することを特徴とする請求項６または請求項７記載の移動局装置。
【請求項９】
前記サブキャリア検出手段は、
前記マルチキャリア信号と前記既知信号のレプリカとの相関値をすべてのサブキャリアについて算出する相関値算出部、を含み、
算出された相関値を所定のサブキャリア数おきに電力加算し、電力加算後の相関値が最も大きいサブキャリアの組み合わせを構成するサブキャリアを、前記既知信号が割り当てられたサブキャリアとして検出することを特徴とする請求項５記載の移動局装置。
【請求項１０】
前記相関値算出部は、
単一の既知信号のレプリカを用いることを特徴とする請求項６から請求項９のいずれかに記載の移動局装置。
【請求項１１】
基地局装置に対応付けられたスクランブルコードを移動局装置が同定するマルチキャリア通信システムにおいて適用されるセルサーチ方法であって、
前記基地局装置が、
複数のサブキャリアから自装置に対応付けられたスクランブルコードが属するコードグループに対応するサブキャリアを選択する工程と、
選択されたサブキャリアに既知信号を割り当てる工程と、
前記複数のサブキャリアからマルチキャリア信号を生成する工程と、
生成されたマルチキャリア信号を送信する工程と、
前記移動局装置が、
前記既知信号が割り当てられたサブキャリアを含むマルチキャリア信号を受信する工程と、
受信されたマルチキャリア信号から前記既知信号が割り当てられたサブキャリアを検出する工程と、
検出されたサブキャリアに対応するコードグループを、基地局装置がカバーするセルに対応付けられたスクランブルコードが属するコードグループと同定する工程と、
を有することを特徴とするセルサーチ方法。
【発明の詳細な説明】
【技術分野】
【０００１】
本発明は、基地局装置、移動局装置、およびセルサーチ方法に関し、特に、マルチキャリア通信において適用される基地局装置、移動局装置、およびセルサーチ方法に関する。
【背景技術】
【０００２】
マルチキャリア通信システムでは、基地局装置がカバーするセルを識別するために、セルごとに異なるスクランブルコードを割り当てており、移動局装置は移動に伴うセルの切り替え（ハンドオーバ）時や間欠受信時などにセルサーチ、つまり、セルを識別するためのスクランブルコードの同定を行う必要がある。セルサーチの方法としては、３段階セルサーチがよく知られている（例えば、非特許文献１参照）。
【０００３】
３段階セルサーチは、シンボルタイミングの検出（第１段階）、スクランブルコードグループの同定およびスクランブルコードタイミング、すなわち、フレームタイミングの検出（第２段階）、スクランブルコードの同定（第３段階）の順で行われる。以下、図８を用いて従来の３段階セルサーチの方法について説明する。
【０００４】
図８は、従来の３段階セルサーチにおけるフレーム構成を示す図である。図８において、横軸は時間、縦軸は電力、奥行きは周波数を示す。同図に示すように、時間軸方向に連続したＳＣＨ（Synchronization Channel：同期チャネル）が周波数軸方向に等間隔のサブキャリアに多重されている。同一セル内のサブキャリアには、シンボル系列のパターンが共通なＳＣＨが割り当てられている。以下、各段階について説明する。
【０００５】
第１段階では、ＯＦＤＭのガードインターバルの相関特性を利用して移動局装置はシンボルタイミング（ＦＦＴ（Fast Fourier Transform：高速フーリエ変換）ウィンドウタイミング）を検出する。
【０００６】
次いで、第２段階では、ＳＣＨを利用してフレームタイミングの検出が行われる。具体的には、移動局装置は受信データ信号に対しＦＦＴ処理を施して、ＳＣＨが多重されているサブキャリアを分離し、サブキャリアごとにＦＦＴ処理後の受信データ信号とＳＣＨのシンボル系列のレプリカとの時間方向の相関を取る。そして、移動局装置は得られた相関値をサブキャリア間で電力加算し、最も大きな相関値が得られるタイミングをフレームタイミングとして検出する。
【０００７】
この時、ＳＣＨのシンボル系列を複数用意し、ＳＣＨのシンボル系列ごとにコードグループを対応させておくことで、移動局装置はフレームタイミングの検出と同時にコードグループの同定を行うことができる。具体的には、移動局装置は、サブキャリアごとに、複数のＳＣＨのシンボル系列のレプリカとＦＦＴ処理後の受信データ信号との時間方向の相関演算を行う。そして、得られた相関値をＳＣＨのシンボル系列ごとにサブキャリア間で電力加算し、最も大きな相関値が得られるＳＣＨのシンボル系列から、対応するコードグループを同定する。このように、第２段階において、フレームタイミングの検出およびコードグループの同定が行われる。
【０００８】
さらに、第３段階では、第２段階で検出されたフレームタイミングから時間多重されたＣＰＩＣＨ（Common Pilot Channel：共通パイロットチャネル）が抽出される。そして、第２段階で同定したコードグループに属するすべてのスクランブルコードに対応するＣＰＩＣＨのレプリカが生成される。そして、移動局装置は、生成したＣＰＩＣＨのレプリカと抽出したＣＰＩＣＨの相関を取り、最も大きい相関値に対応するスクランブルコードを、セルのスクランブルコードと同定する。
【非特許文献１】「ブロードバンドマルチキャリアＣＤＭＡ伝送における周波数多重同期チャネルを用いた３段階セルサーチ特性」、ＲＣＳ２００１−０９１
【発明の開示】
【発明が解決しようとする課題】
【０００９】
しかしながら、上述したようなセルサーチの方法では、複数のセルで同一のサブキャリアにＳＣＨが多重されるため、第２段階においてＳＣＨ同士のセル間干渉が生じるという問題がある。特に、各セルでＳＣＨに用いられるシンボル系列が直交符号でない場合には、セル間干渉が大きい。この結果、セル境界に位置する移動局装置において、セル間干渉の影響を受け、コードグループの同定が正しく行われずセルサーチの性能が劣化する。
【００１０】
この問題を解決するために、ＳＣＨを割り当てるサブキャリアをセルごとにシフトして、ＳＣＨ同士のセル間干渉の影響を低減させる方法が考えられるが、この場合には、複数のＳＣＨのシンボル系列のレプリカとＦＦＴ処理後の受信信号との時間方向の相関演算をすべてのサブキャリアについて行う必要が生じ、演算量が増加するという新たな問題が生じる。
【００１１】
本発明はかかる点に鑑みてなされたものであり、マルチキャリア通信において、演算量の増加を防止しつつ、ＳＣＨ同士のセル間干渉を低減することができる基地局装置、移動局装置、およびセルサーチ方法を提供することを目的とする。
【課題を解決するための手段】
【００１２】
かかる課題を解決するため、本発明に係る基地局装置は、複数のサブキャリアから自装置に対応付けられたスクランブルコードが属するコードグループに対応するサブキャリアを選択する選択手段と、選択されたサブキャリアに既知信号を割り当てる割当手段と、前記複数のサブキャリアからマルチキャリア信号を生成する生成手段と、を有する構成を採る。
【００１３】
この構成によれば、複数のサブキャリアから自装置のスクランブルコードが属するコードグループに対応するサブキャリアへ既知信号を割り当て、マルチキャリア信号を生成するため、隣接セル間で既知信号が異なるサブキャリアへ割り当てられる可能性が高くなり、既知信号のセル間干渉を低減することができる。
【００１４】
本発明に係る移動局装置は、基地局装置から送信されるマルチキャリア信号であって、既知信号が割り当てられたサブキャリアを含むマルチキャリア信号を受信する受信手段と、受信されたマルチキャリア信号から前記既知信号が割り当てられたサブキャリアを検出するサブキャリア検出手段と、検出されたサブキャリアに対応するコードグループを、前記基地局装置のコードグループと同定するコードグループ検出手段と、を有する構成を採る。
【００１５】
この構成によれば、基地局装置から送信されるマルチキャリア信号から、既知信号が割り当てられたサブキャリアを検出し、検出されたサブキャリアに対応するコードグループを、基地局装置がカバーするセルに対応付けられたスクランブルコードが属するコードグループと同定するため、隣接セル間で既知信号が異なるサブキャリアへ割り当てられる可能性が高くなり、既知信号のセル間干渉を低減することができる。また、既知信号が割り当てられたサブキャリアに基づいてコードグループを同定するため、隣接セル間で単一の既知信号を用いることが可能となり、既知信号を固定のサブキャリアに割り当て、既知信号のパターンの違いによりコードグループを同定する場合と比較して、演算量の増加を防止することができる。
【００１６】
本発明に係るセルサーチ方法は、基地局装置に対応付けられたスクランブルコードを移動局装置が同定するマルチキャリア通信システムにおいて適用されるセルサーチ方法であって、前記基地局装置が、複数のサブキャリアから自装置に対応付けられたスクランブルコードが属するコードグループに対応するサブキャリアを選択する工程と、選択されたサブキャリアに既知信号を割り当てる工程と、前記複数のサブキャリアからマルチキャリア信号を生成する工程と、生成されたマルチキャリア信号を送信する工程と、前記移動局装置が、前記既知信号が割り当てられたサブキャリアを含むマルチキャリア信号を受信する工程と、受信されたマルチキャリア信号から前記既知信号が割り当てられたサブキャリアを検出する工程と、検出されたサブキャリアに対応するコードグループを、基地局装置がカバーするセルに対応付けられたスクランブルコードが属するコードグループと同定する工程と、を有するようにした。
【００１７】
この方法によれば、基地局装置が、複数のサブキャリアから自装置のスクランブルコードが属するコードグループに対応するサブキャリアへ既知信号を割り当て、マルチキャリア信号を生成し、生成されたマルチキャリア信号を送信し、移動局装置が、基地局装置から送信されるマルチキャリア信号から、既知信号が割り当てられたサブキャリアを検出し、検出されたサブキャリアに対応するコードグループを、基地局装置がカバーするセルに対応付けられたスクランブルコードが属するコードグループと同定する。このため、隣接セル間で既知信号が異なるサブキャリアへ割り当てられる可能性が高くなり、既知信号のセル間干渉を低減することができる。また、既知信号が割り当てられたサブキャリアに基づいてコードグループを同定するため、隣接セル間で単一の既知信号を用いることが可能となり、既知信号を固定のサブキャリアに割り当て、既知信号のパターンの違いによりコードグループを同定する場合と比較して、演算量の増加を防止することができる。
【発明の効果】
【００１８】
本発明によれば、マルチキャリア通信において、演算量の増加を防止しつつ、ＳＣＨ同士のセル間干渉を低減することができる。
【発明を実施するための最良の形態】
【００１９】
本発明の骨子は、基地局装置において、基地局装置がカバーするセルのコードグループに基づいて決定されるサブキャリアにＳＣＨを割り当て、移動局装置において、ＳＣＨが割り当てられたサブキャリアを検出して、サブキャリアの周波数の組み合わせからセルのコードグループを同定することである。
【００２０】
以下、本発明の実施の形態について図面を参照して詳細に説明する。
【００２１】
（実施の形態１）
本実施の形態に係る移動体通信システムは、基地局装置１００および移動局装置２００を有している。そして、移動局装置２００は、基地局装置１００から送信される信号を受信し、受信データ信号に基づいてセルサーチを行う。
【００２２】
図１は、本発明の実施の形態１に係る基地局装置１００の送信処理部の要部構成を示すブロック図である。図１に示す基地局装置１００は、誤り訂正符号化部１０１、変調部１０２、フレーム構成部１０３、スクランブリング処理部１０４、コードグループ記憶部１０５、ＳＣＨマッピングパターン記憶部１０６、ＳＣＨサブキャリア選択部１０７、ＳＣＨ付加部１０８、ＩＦＦＴ（Inverse Fast Fourier Transform：逆高速フーリエ変換）部１０９、ＧＩ（Guard Interval：ガードインターバル）挿入部１１０、およびＲＦ（Radio Frequency）送信部１１１を有している。
【００２３】
誤り訂正符号化部１０１は、送信データに対して誤り訂正符号化を施し、得られた誤り訂正符号化データを変調部１０２へ出力する。
【００２４】
変調部１０２は、誤り訂正符号化データを変調し、得られた変調データをフレーム構成部１０３へ出力する。
【００２５】
フレーム構成部１０３は、変調データおよびＣＰＩＣＨからフレームを構成し、得られたフレームをスクランブリング処理部１０４へ出力する。
【００２６】
スクランブリング処理部１０４は、基地局装置固有のスクランブルコード番号に基づいて、スクランブルコードを生成し、フレームに対しスクランブルコードを乗算してスクランブリング処理を施す。スクランブリング処理部１０４は、スクランブリング処理後のフレームをＳＣＨ付加部１０８へ出力し、スクランブルコード番号をコードグループ記憶部１０５へ出力する。
【００２７】
コードグループ記憶部１０５は、内部にスクランブルコード番号とコードグループ番号とを対応づけたテーブルを保持している。そして、コードグループ記憶部１０５は、基地局装置固有のスクランブルコード番号に対応するコードグループ番号をテーブルから取得し、取得したコードグループ番号をＳＣＨサブキャリア選択部１０７へ出力する。
【００２８】
ＳＣＨマッピングパターン記憶部１０６は、内部にコードグループ番号とＳＣＨを割り当てるサブキャリアとを対応付けたテーブルを保持している。図２は、コードグループとＳＣＨを割り当てるサブキャリアとの対応付けのパターンの一例を示す図である。図２において、縦軸はコードグループ番号（＃１〜＃８）を示し、横軸はサブキャリアのサブキャリア番号（＃１〜＃３２）を示す。各サブキャリア番号には、それぞれ異なる周波数が対応している。また、同図において、１つ１つの四角の幅はサブキャリアの単位帯域幅を示し、斜線の四角はそれぞれのコードグループに対応するサブキャリアを示す。例えば、コードグループ＃１には、サブキャリア＃５、サブキャリア＃１０、サブキャリア＃１９、およびサブキャリア＃２８が対応付けられている。
【００２９】
なお、コードグループ番号とＳＣＨが割り当てられるサブキャリアの周波数との対応付けのパターンは、図２に示すパターンに限らない。具体的には、サブキャリアの組み合わせのパターンとコードグループが１対１に対応して、サブキャリアの組み合わせのパターンがコードグループごとに異なっていればよい。これにより、コードグループに基づいてＳＣＨが異なるサブキャリアの組み合わせに割り当てられる。そして、後述するように移動局装置はＳＣＨが割り当てられたサブキャリアを検出し、検出したサブキャリアの組み合わせからコードグループを同定することができる。移動局装置におけるサブキャリアの組み合わせの検出およびコードグループの同定の方法については、後に詳述する。
【００３０】
一般に、隣接セル間では、コードグループが異なっているため、サブキャリアの組み合わせのパターンとコードグループを１対１に対応付けることにより、隣接セル間においてＳＣＨは異なるサブキャリアの組み合わせに割り当てられることになる。この結果、隣接セル間では、異なるサブキャリアにＳＣＨが割り当てられる可能性が高くなるため、セル同士でのサブキャリアの衝突が減少し、セル間干渉が低減される。なお、セル同士でのサブキャリアの衝突が減少するため、ＳＣＨに各セルでパターンが同一のシンボル系列を用いた場合にも、セル間干渉を低減することができる。
【００３１】
ＳＣＨサブキャリア選択部１０７は、ＳＣＨマッピングパターン記憶部１０６からＳＣＨを割り当てるサブキャリアを選択する。具体的には、コードグループ記憶部１０５から出力されるコードグループ番号に対応するサブキャリアの周波数をＳＣＨマッピングパターン記憶部１０６から取得する。例えば、ＳＣＨマッピングパターン記憶部１０６が図２に示すようなマッピングパターンを持つテーブルを保持しているとき、コードグループ＃１に対応するサブキャリアの組み合わせは、サブキャリア＃５、サブキャリア＃１０、サブキャリア＃１９、およびサブキャリア＃２８より構成される。したがって、この場合には、ＳＣＨサブキャリア選択部１０７は、サブキャリア＃５、サブキャリア＃１０、サブキャリア＃１９、およびサブキャリア＃２８を選択し、選択したサブキャリアに関する情報をＳＣＨ付加部１０８へ出力する。
【００３２】
ＳＣＨ付加部１０８は、選択した複数のサブキャリアにＳＣＨを周波数多重して、周波数多重したＳＣＨをスクランブリング処理後のフレームに付加する。ＳＣＨ付加部１０８は、得られたフレームをＩＦＦＴ部１０９へ出力する。
【００３３】
ＩＦＦＴ部１０９は、フレームに対しＩＦＦＴ処理を施してマルチキャリア信号を生成し、ＧＩ挿入部１１０へ出力する。
【００３４】
ＧＩ挿入部１１０は、マルチキャリア信号の各シンボル間にガードインターバルを挿入し、ガードインターバル挿入後のマルチキャリア信号をＲＦ送信部１１１へ出力する。
【００３５】
ＲＦ送信部１１１は、ＧＩ挿入部１１０から出力されるマルチキャリア信号に送信処理（Ｄ／Ａ変換、無線周波数帯へのアップコンバートなど）を行い、アンテナを介して送信する。
【００３６】
図３は、本実施の形態に係る移動局装置２００の受信処理部の要部構成を示すブロック図である。図３に示す移動局装置２００は、ＲＦ受信部２０１、シンボルタイミング検出部２０２、ＦＦＴ（Fast Fourier Transform：高速フーリエ変換）部２０３、ＳＣＨ相関値算出部２０４、ＳＣＨサブキャリア検出部２０５、フレームタイミング検出部２０６、コードグループ検出部２０７、スクランブルコード同定部２０８、デスクランブリング処理２０９、復調部２１０、および誤り訂正復号部２１１を有している。
【００３７】
ＲＦ受信部２０１は、アンテナを介して受信された信号に対し所定の無線受信処理（ダウンコンバート、Ａ／Ｄ変換など）を施し、得られた受信データ信号をシンボルタイミング検出部２０２およびＦＦＴ部２０３へ出力する。
【００３８】
シンボルタイミング検出部２０２は、受信データ信号のガードインターバルの相関特性を取得し、得られた相関特性からシンボルタイミングを検出する。
【００３９】
ＦＦＴ部２０３は、受信データ信号からガードインターバルを除去し、ガードインターバル除去後の受信データ信号に、シンボルタイミング検出部２０２において検出されたシンボルタイミングでＦＦＴ処理を施して、ＦＦＴ処理後の受信データ信号をＳＣＨ相関値算出部２０４、スクランブルコード同定部２０８、およびデスクランブリング処理部２０９へ出力する。
【００４０】
ＳＣＨ相関値算出部２０４は、受信データ信号とＳＣＨのシンボル系列のレプリカとの時間方向の相関値をすべてのサブキャリアについて算出する。
【００４１】
上述したように、一般に、隣接セル間ではコードグループが異なるため、ＳＣＨが割り当てられるサブキャリアの組み合わせが隣接セル間で異なる。したがって、隣接セル間ではＳＣＨが異なるサブキャリアに割り当てられる可能性が高くなり、セル同士でのサブキャリアの衝突が減少し、セル間干渉が低減される。そして、セル同士でのサブキャリアの衝突が減少することにより、隣接するセル同士で、ＳＣＨのシンボル系列を同じにすることが可能となる。これにより、移動局装置におけるコードグループの同定において、ＳＣＨ相関値算出部２０４は、隣接するセル間で同一のＳＣＨのシンボル系列のレプリカと受信データ信号との相関値を算出すればよく、シンボル系列のレプリカを複数用意する必要がない。
【００４２】
すなわち、ＳＣＨ相関値算出部２０４は、受信データ信号とＳＣＨのシンボル系列のレプリカとの相関演算をすべてのサブキャリアについて行う必要があるが、受信データ信号と複数のＳＣＨのシンボル系列との相関演算が不要となる。この結果、ＳＣＨを固定のサブキャリアに割り当て、ＳＣＨのシンボル系列のパターンの違いによりコードグループ同定を行う場合と比較しても、ＳＣＨ相関値算出部２０４における相関演算量の増加を防止しつつ、ＳＣＨ同士のセル間干渉を低減することができる。ＳＣＨ相関値算出部２０４は、得られた各サブキャリアの相関値をＳＣＨサブキャリア検出部２０５に出力する。
【００４３】
ＳＣＨサブキャリア検出部２０５は、算出された各サブキャリアの相関値に基づいて、ＳＣＨが割り当てられたサブキャリアを検出する。例えば、各サブキャリアの相関値を所定の閾値と比較し、所定の閾値を超える相関値に対応するサブキャリアをＳＣＨが割り当てられたサブキャリアとして検出する。ＳＣＨが割り当てられたサブキャリアを検出する方法は、これに限らず、算出された相関値が大きい方からＳＣＨが多重されるサブキャリア数のサブキャリアを選択しても良い。ＳＣＨサブキャリア検出部２０５は、検出されたサブキャリアの相関値をフレームタイミング検出部２０６へ出力するとともに、検出されたサブキャリアの周波数に関する情報をコードグループ検出部２０７へ出力する。
【００４４】
フレームタイミング検出部２０６は、ＳＣＨサブキャリア検出部２０５で検出されたサブキャリアに対応する相関値を電力加算し、最も大きな相関値が得られるタイミングをフレームタイミングとして検出する。フレームタイミング検出部２０６は、得られたフレームタイミングをスクランブルコード同定部２０８へ出力する。
【００４５】
コードグループ検出部２０７は、コードグループとサブキャリアとを対応付けた基地局装置１００と共通のテーブルを内部に保持している。そして、ＳＣＨサブキャリア検出部２０５から出力されるサブキャリアに関する情報から、対応するコードグループを同定する。例えば、コードグループ検出部２０７が、図２に示すようなマッピングパターンを内部に保持していて、ＳＣＨサブキャリア検出部２０５において、サブキャリア＃５、サブキャリア＃１０、サブキャリア＃１９、サブキャリア＃２８に対応する周波数が検出された場合には、コードグループ検出部２０７は、コードグループ＃１をコードグループと同定する。上述したように、ＳＣＨを割り当てるサブキャリアの組み合わせとコードグループとが１対１に対応付けられているため、検出されたサブキャリアの組み合わせから、コードグループ検出部２０７はコードグループを同定することができる。コードグループ検出部２０７は、得られたコードグループに関する情報をスクランブルコード同定部２０８へ出力する。
【００４６】
スクランブルコード同定部２０８は、同定されたコードグループに属するすべてのスクランブルコードに対応するＣＰＩＣＨのレプリカを生成する。そして、生成したすべてのＣＰＩＣＨのレプリカと、フレームタイミングに従って受信データ信号から抽出したＣＰＩＣＨとの相関演算を行い、最も大きい相関値が得られるスクランブルコードを、セルのスクランブルコードと同定する。スクランブルコード同定部２０８は、得られたスクランブルコードをデスクランブリング処理部２０９へ出力する。
【００４７】
デスクランブリング処理部２０９は、同定されたスクランブルコードを用いて受信データ信号に対しデスクランブリング処理を施す。デスクランブリング処理部２０９は、デスクランブリング処理後の受信データ信号を復調部２１０へ出力する。
【００４８】
復調部２１０は、デスクランブリング処理後の受信データ信号に対し、ディジタル復調処理を施し、得られた復調信号を誤り訂正復号部２１１へ出力する。
【００４９】
誤り訂正復号部２１１は、復調信号に誤り訂正復号化を施し、得られた受信データを後工程へ出力する。
【００５０】
次いで、上記のように構成された基地局装置１００および移動局装置２００によるセルサーチ方法について説明する。始めに、基地局装置１００の動作について説明する。
【００５１】
送信データは、誤り訂正符号化部１０１によって誤り訂正符号化が施された後、変調部１０２によって所定の変調処理が施され変調データが生成される。ＣＰＩＣＨおよび生成された変調データはフレーム構成部１０３によってフレームに割り当てられた後、スクランブリング処理部１０４によって、基地局装置固有のスクランブルコードが乗算される。
【００５２】
一方、コードグループ記憶部１０５によって、内部に保持されたスクランブルコード番号とコードグループ番号とを対応付けたテーブルから、基地局装置固有のスクランブルコード番号に対応するコードグループ番号が取得され、取得されたコードグループ番号がＳＣＨサブキャリア選択部１０７へ出力される。そして、コードグループ番号に基づいて、ＳＣＨマッピングパターン記憶部１０６に保持されるコードグループ番号とサブキャリアとを対応付けたテーブルから、ＳＣＨサブキャリア選択部１０７によってＳＣＨが割り当てられるサブキャリアが選択される。例えば、図２に示すようなマッピングパターンを持つテーブルをＳＣＨマッピングパターン記憶部１０６が保持している場合には、コードグループ＃１のとき、ＳＣＨサブキャリア選択部１０７によって、サブキャリア＃５、サブキャリア＃１０、サブキャリア＃１９、およびサブキャリア＃２８が、ＳＣＨが割り当てられるサブキャリアとして選択される。
【００５３】
コードグループとサブキャリアの組み合わせとの対応付けのパターンは、図２に示すパターンに限らない。サブキャリアの組み合わせのパターンとコードグループが１対１に対応して、サブキャリアの組み合わせのパターンがコードグループごとに異なっていればよい。
【００５４】
一般に、隣接セル間では、コードグループが異なるため、隣接セル間ではＳＣＨが割り当てられるサブキャリアの組み合わせが相違する。そして、これにより、セル同士でのサブキャリアの衝突が減少し、セル間同士の符号間干渉が低減される。
【００５５】
また、隣接セル間においてもセル同士でのサブキャリアの衝突が減少するため、ＳＣＨにすべてのセルでパターンが同一のシンボル系列を用いた場合にも、セル同士の干渉を低減することができる。この結果、ＳＣＨ付加部１０８では、各セルでＳＣＨとして同一のシンボル系列を用いることが可能となり、複数のシンボル系列を用意する必要がない。
【００５６】
そして、ＳＣＨ付加部１０８によって、ＳＣＨが選択されたサブキャリアに周波数多重された後、スクランブリング処理後のフレームに付加される。ＳＣＨが付加されたフレームは、ＩＦＦＴ部１０９によってＩＦＦＴ処理が施されて、ＩＦＦＴ処理後のマルチキャリア信号は、ＧＩ挿入部１１０、ＲＦ送信部１１１およびアンテナを介して送信される。
【００５７】
次いで、移動局装置２００の動作について説明する。移動局装置２００は以下の手順でセルサーチを行い、スクランブルコードを同定する。なお、本実施の形態のセルサーチの方法も、３段階セルサーチによるもので、シンボルタイミングの検出（第１段階）、スクランブルコードグループの同定およびフレームタイミングの検出（第２段階）、スクランブルコードの同定（第３段階）の順に行われる。
【００５８】
基地局装置１００から送信されるマルチキャリア信号は、アンテナを介してＲＦ受信部２０１によって、所定の無線受信処理（ダウンコンバート、Ａ／Ｄ変換など）が施され、シンボルタイミング検出部２０２によって、受信処理後の受信データ信号のガードインターバルの相関特性からシンボルタイミングが検出される（第１段階）。
【００５９】
そして、ＦＦＴ部２０３において、受信データ信号からガードインターバルが除去され、ガードインターバル除去後の受信データ信号に、検出されたシンボルタイミングでＦＦＴ処理が施される。
【００６０】
ＦＦＴ処理後の受信データ信号は、ＳＣＨ相関値算出部２０４によって、すべてのサブキャリアについてＳＣＨのシンボル系列のレプリカとの時間方向の相関演算が行われる。本実施の形態では、コードグループの同定をＳＣＨのシンボル系列のパターンの違いによって行うのではなく、サブキャリアの組み合わせに基づいて行うため、上述したように、隣接セル間で同一のシンボル系列をＳＣＨに用いることが可能となる。この場合には、受信データ信号は、隣接セルにおいて同一のＳＣＨのシンボル系列との相関演算を行えばよい。すなわち、本実施の形態においては、ＳＣＨ相関値算出部２０４において、受信データ信号とＳＣＨのシンボル系列のレプリカとの相関演算がすべてのサブキャリアについて算出される必要がある一方、受信データ信号と複数のＳＣＨのシンボル系列との相関演算が不要となる。つまり、ＳＣＨを固定のサブキャリアに割り当て、ＳＣＨのシンボル系列のパターンの違いによりコードグループ同定を行う場合に比較しても、ＳＣＨ相関値算出部２０４における相関演算量は増加しない。
【００６１】
そして、得られた各サブキャリアの相関値に基づいてＳＣＨサブキャリア検出部２０５によって、ＳＣＨが割り当てられているサブキャリアが検出される。例えば、所定の閾値を超える相関値に対応するサブキャリアが、ＳＣＨが割り当てられたサブキャリアとして検出される。
【００６２】
そして、コードグループ検出部２０７によって、検出されたサブキャリアの組み合わせから基地局装置１００のコードグループが同定される（第２段階）。コードグループの同定は、コードグループ検出部２０７の内部に保持されるテーブルに基づき行われる。具体的には、コードグループ検出部２０７には、基地局装置１００のＳＣＨマッピングパターン記憶部１０６が内部に保持するテーブルと同一のテーブルが保持されている。そして、例えば、ＳＣＨサブキャリア検出部２０５において、サブキャリア＃５、サブキャリア＃１０、サブキャリア＃１９、サブキャリア＃２８が検出された場合には、コードグループ検出部２０７によって、コードグループとしてコードグループ＃１が同定される。
【００６３】
このように、本実施の形態においては、ＳＣＨのシンボル系列のパターンの違いによらず、ＳＣＨが割り当てられたサブキャリアの組み合わせに基づいてコードグループが同定される。
【００６４】
一方、ＳＣＨサブキャリア検出部２０５によって検出されたサブキャリアに対応する相関値は、フレームタイミング検出部２０６によって電力加算されて、最も大きな相関値が得られるタイミングがフレームタイミングとして検出される。
【００６５】
そして、スクランブルコード同定部２０８によって、検出されたフレームタイミングに従い受信データ信号から抽出されたＣＰＩＣＨと、同定されたコードグループに属するすべてのスクランブルコードに対するＣＰＩＣＨのレプリカとの相関演算が行われ、相関値の最も大きいスクランブルコードがセルのスクランブルコードと同定される（第３段階）。
【００６６】
同定されたスクランブルコードを用いてデスクランブリング処理部２０９によって受信データ信号に対しデスクランブル処理が施され、復調部２１０、誤り訂正復号部２１１を介して、受信データは後工程へ出力される。
【００６７】
以上のように、本実施の形態によれば、基地局装置において、コードグループと１対１に対応するサブキャリアへＳＣＨが割り当てられる。そして、移動局装置は、基地局装置から送信されるマルチキャリア信号からＳＣＨが割り当てられたサブキャリアを検出し、そのサブキャリアから対応するコードグループを同定する。この時、隣接セル間では、異なるサブキャリアにＳＣＨが割り当てられる可能性が高くなり、サブキャリアの衝突が減少するため、ＳＣＨ同士のセル間干渉を低減することが可能となる。また、サブキャリアの衝突が減少するため、セル間で同一のシンボル系列をＳＣＨとして用いることができ、ＳＣＨのシンボル系列のパターンの違いによってコードグループを同定する場合と比較しても、演算量を増加させることなくコードグループを同定することができる。
【００６８】
なお、図２では単位帯域幅を有するサブキャリアへＳＣＨを割り当てた場合の例を図示したが、ＳＣＨサブキャリア選択部１０７において、所定の帯域幅、例えば、相関値帯域幅と同程度の帯域幅を有する複数のサブキャリアを選択しても良い。ここで、相関値帯域幅とは、互いに隣接するサブキャリアの伝搬路の相関値が所定の閾値以上である範囲の帯域幅のことをいう。この場合には、ＳＣＨ相関値算出部２０４において、サブキャリアごとの相関値に、所定の帯域幅に含まれるサブキャリアの相関値を同相加算し、ＳＣＨサブキャリア検出部２０５において、同相加算後の相関値に基づいてＳＣＨが割り当てられたサブキャリアを検出することにより、移動局装置におけるＳＣＨの相関値のＳＮＲ（Signal Noise Ratio）を改善することができる。
【００６９】
（実施の形態２）
本発明の実施の形態２の特徴は、コードグループに対応付けられたサブキャリアの組み合わせパターンが、所定のサブキャリア数ごとに繰り返されている点である。
【００７０】
図４は、本発明の実施の形態２に係る基地局装置１００の構成を示すブロック図である。なお、図４の本実施の形態の基地局装置において、図１と共通する構成部分には、図１と同一の符号を付して説明を省略する。図４は、図１に対して、ＳＣＨマッピングパターン記憶部１０６をＳＣＨマッピングパターン記憶部３０１に代えた構成を採る。
【００７１】
ＳＣＨマッピングパターン記憶部３０１は、ＳＣＨマッピングパターン記憶部１０６と同様に、内部にコードグループ番号とサブキャリアとを対応付けたテーブルを保持している。図５は、コードグループ番号とサブキャリアの組み合わせとの対応付けのパターンの一例を示す図である。図２と同様に図５において、縦軸はコードグループ番号（＃１〜＃８）を示し、横軸はサブキャリアのサブキャリア番号（＃１〜＃３２）を示す。各サブキャリア番号には、それぞれ異なる周波数が対応している。また、同図において、１つ１つの四角の幅はサブキャリアの単位帯域幅を示し、斜線の四角はそれぞれのコードグループに対応するサブキャリアを示す。図２と異なる点は、図５では所定のサブキャリア数ごとにマッピングパターンが繰り返されている点である。具体的には、図５では８サブキャリアごとにマッピングパターンが繰り返されている。図５において、１つ１つの四角の中の数字は、繰り返しパターンを構成する所定のサブキャリア数（以下「繰り返しブロック」という）内のインデックスを示している。例えば、コードグループ＃２に対しては、繰り返しブロック内のインデックス番号が２のサブキャリアが対応付けられている様子を示している。
【００７２】
図５は、繰り返しブロック内に対応付けるサブキャリア数を１とした例であるが、これに限らず、繰り返しブロック内に対応付けるサブキャリア数を２以上としても構わない。つまり、サブキャリアの組み合わせのパターンとコードグループが１対１に対応して、サブキャリアの組み合わせのパターンがコードグループごとに異なっていればよい。なお、繰り返しブロックごとにマッピングパターンを繰り返すことにより、後述するサブキャリア検出部４０１によって、周波数ダイバーシチ利得が得られて、コードグループの同定においてコードグループを正しく同定する確率が高くなる。
【００７３】
また、繰り返しブロック内に対応付けるサブキャリア数が２以上の場合には、取り得るマッピングパターンの組み合わせ数が増えるため、より多くのコードグループを識別することが可能となる。
【００７４】
図６は、本発明の実施の形態２に係る移動局装置２００の構成を示すブロック図である。なお、図６の本実施の形態の基地局装置において、図３と共通する構成部分には、図３と同一の符号を付して説明を省略する。図６は、図３に対して、ＳＣＨサブキャリア検出部２０５をＳＣＨサブキャリア検出部４０１に代えた構成を採る。
【００７５】
ＳＣＨサブキャリア検出部４０１は、各サブキャリアの相関値および繰り返しブロック内のインデックスに基づいて、ＳＣＨが割り当てられたサブキャリアを検出する。具体的には、同じインデックスを持つサブキャリアの相関値を電力加算し、電力加算後の相関値が最大となるインデックスを検出し、インデックスに対応するサブキャリアをＳＣＨが多重されているサブキャリアとして検出する。サブキャリアの検出方法について図７を用いて説明する。
【００７６】
図７において、縦軸は電力加算後の相関値、横軸は繰り返しブロック内のインデックスを示す。図７は、図５のマッピングパターンに対応して、繰り返しブロックが８つのサブキャリアから成り、また基地局装置のコードグループがコードグループ＃２のときの相関値の結果である。図５に示すように、コードグループ＃２に対しては、繰り返しブロック内のインデックスが２のサブキャリア（サブキャリア＃２、サブキャリア＃１０、サブキャリア＃１８、サブキャリア＃２６）にＳＣＨが割り当てられる。したがって、ＳＣＨサブキャリア検出部４０１によって、同じインデックスを持つサブキャリアの相関値を電力加算した場合には、図７に示すように、インデックスが２の時に電力加算後の相関値が最大となる。
【００７７】
そして、ＳＣＨサブキャリア検出部４０１は、電力加算後の相関値が最大となるインデックスを２に持つサブキャリア（サブキャリア＃２、サブキャリア＃１０、サブキャリア＃１８、サブキャリア＃２６）を、ＳＣＨが割り当てられたサブキャリアとして検出し、検出したサブキャリアの相関値をフレームタイミング検出部２０６へ出力するとともに、検出したサブキャリアに関する情報をコードグループ検出部２０７へ出力する。
【００７８】
つまり、同じインデックスを持つサブキャリアの相関値が電力加算され、電力加算後の相関値が最大のインデックスに対応するサブキャリアが、ＳＣＨが割り当てられたサブキャリアとして検出されるため、ＳＣＨが割り当てられたあるサブキャリアの相関値が伝搬環境の影響を受け小さい場合においても、同じインデックスを持つ他のサブキャリアによる周波数ダイバーシチ利得で補償することができる。この結果、ＳＣＨサブキャリア検出部４０１によって、ＳＣＨが割り当てられたサブキャリアの組み合わせが正しく検出されて、コードグループ検出部２０７によって、コードグループが正しく同定される確率が高くなる。これにより、後工程の第３段階においてセルサーチが成功する確率が高くなり、結果として、セルサーチ時間を短縮することが可能となる。
【００７９】
次いで、上記のように構成された基地局装置１００および移動局装置２００によるセルサーチ方法について説明する。始めに、基地局装置１００の動作について説明する。
【００８０】
送信データは、誤り訂正符号化部１０１によって誤り訂正符号化が施された後、変調部１０２によって所定の変調処理が施され変調データが生成される。ＣＰＩＣＨおよび生成された変調データはフレーム構成部１０３によってフレームに割り当てられた後、スクランブリング処理部１０４によって、基地局装置固有のスクランブルコードが乗算される。
【００８１】
一方、コードグループ記憶部１０５によって、内部に保持されたスクランブルコード番号とコードグループ番号とを対応付けたテーブルから、基地局装置固有のスクランブルコード番号に対応するコードグループ番号が取得され、取得されたコードグループ番号がＳＣＨサブキャリア選択部１０７へ出力される。そして、コードグループ番号に基づいて、ＳＣＨマッピングパターン記憶部３０１に保持されるコードグループ番号とサブキャリアとを対応付けたテーブルから、ＳＣＨサブキャリア選択部１０７によってＳＣＨが割り当てられるサブキャリアが選択される。例えば、図５に示すようなマッピングパターンを持つテーブルをＳＣＨマッピングパターン記憶部３０１が保持している場合には、コードグループ＃２のとき、ＳＣＨサブキャリア選択部１０７によって、サブキャリア＃２、サブキャリア＃１０、サブキャリア＃１８、およびサブキャリア＃２６が、ＳＣＨが割り当てられるサブキャリアとして選択される。
【００８２】
図５は、繰り返しブロック内にＳＣＨを割り当てるサブキャリアの数を１とした例であるが、繰り返しブロック内の２以上のサブキャリアにＳＣＨを割り当てることとしても良い。つまり、サブキャリアの組み合わせのパターンとコードグループが１対１に対応して、サブキャリアの組み合わせのパターンがコードグループごとに異なっていればよい。
【００８３】
そして、ＳＣＨ付加部１０８によって、ＳＣＨが選択されたサブキャリアに周波数多重された後、スクランブリング処理後のフレームに付加される。ＳＣＨが付加されたフレームは、ＩＦＦＴ部１０９によってＩＦＦＴ処理が施され、ＩＦＦＴ処理後のマルチキャリア信号は、ＧＩ挿入部１１０、ＲＦ送信部１１１およびアンテナを介して送信される。
【００８４】
次いで、移動局装置２００の動作について説明する。移動局装置２００は以下の手順でセルサーチを行い、スクランブルコードを同定する。なお、本実施の形態のセルサーチの方法も、３段階セルサーチによるもので、シンボルタイミングの検出（第１段階）、スクランブルコードグループの同定およびフレームタイミングの検出（第２段階）、スクランブルコードの同定（第３段階）の順に行われる。
【００８５】
基地局装置１００から送信されるマルチキャリア信号は、アンテナを介してＲＦ受信部２０１によって、所定の無線受信処理（ダウンコンバート、Ａ／Ｄ変換など）が施され、シンボルタイミング検出部２０２によって、受信処理後の受信データ信号のガードインターバルの相関特性からシンボルタイミングが検出される（第１段階）。
【００８６】
そして、ＦＦＴ部２０３において、受信データ信号からガードインターバルが除去され、ガードインターバル除去後の受信データ信号に、検出されたシンボルタイミングでＦＦＴ処理が施される。
【００８７】
ＦＦＴ処理後の受信データ信号は、ＳＣＨ相関値算出部２０４によって、すべてのサブキャリアについてＳＣＨのシンボル系列のレプリカとの時間方向の相関演算が行われる。そして、得られた各サブキャリアの相関値および繰り返しブロック内のインデックスに基づいてＳＣＨサブキャリア検出部４０１によって、ＳＣＨが割り当てられているサブキャリアが検出される。具体的には、同じインデックスを持つサブキャリアの相関値がインデックスごとに電力加算される。そして、最大の相関値が得られるインデックスに対応するサブキャリアが、ＳＣＨが多重されているサブキャリアとして検出される。例えば、コードグループ＃２のときに、図５に示すようなマッピングパターンに基づいてＳＣＨがサブキャリアに割り当てられた場合には、図７に示すように、電力加算後の相関値はインデックスが２のときに最大となる。そして、ＳＣＨサブキャリア検出部４０１によって、電力加算後の相関値が最大となるインデックスを持つサブキャリア（サブキャリア＃２、サブキャリア＃１０、サブキャリア＃１８、サブキャリア＃２６）が、ＳＣＨが割り当てられたサブキャリアとして検出される。
【００８８】
これにより、伝搬環境等の影響によりＳＣＨが割り当てられたあるサブキャリアの相関値が小さい場合においても、同じインデックスを持つ他のサブキャリアの周波数ダイバーシチ利得で補償することができ、ＳＣＨサブキャリア検出部４０１によって、ＳＣＨが割り当てられたサブキャリアの組み合わせが正しく検出される可能性が高くなる。この結果、後工程のコードグループ検出部２０７において、コードグループが正しく同定される可能性が高くなる（第２段階）。コードグループの同定は、実施の形態１と同様に、コードグループ検出部２０７の内部に保持されるテーブルに基づき行われる。
【００８９】
以後、実施の形態１と同様に、スクランブルコード同定部２０８によって、フレームタイミング検出部２０６において検出されたフレームタイミングに従い受信データ信号から抽出されたＣＰＩＣＨと、同定されたコードグループに属するすべてのスクランブルコードに対するＣＰＩＣＨのレプリカとの相関演算が行われ、相関値の最も大きいスクランブルコードがセルのスクランブルコードと同定される（第３段階）。
【００９０】
そして、同定されたスクランブルコードを用いてデスクランブリング処理部２０９によって受信データ信号に対しデスクランブル処理が施され、復調部２１０、誤り訂正復号部２１１を介して、受信データは後工程へ出力される。
【００９１】
以上のように、本実施の形態によれば、コードグループに対応付けられたサブキャリアの組み合わせパターンが、所定のサブキャリア数（繰り返しブロック）おきに繰り返されており、基地局装置において、所定のサブキャリア数おきにＳＣＨが割り当てられる。そして、移動局装置は、基地局装置から送信されるマルチキャリア信号とＳＣＨのシンボル系列との相関値を繰り返しブロック内のインデックスごとに電力加算し、相関値が最大のインデックスに対応するサブキャリアをＳＣＨが割り当てられたサブキャリアとして検出し、その組み合わせからコードグループを同定する。このため、伝搬環境等の影響によりＳＣＨが割り当てられたあるサブキャリアの相関値が小さい場合においても、同じインデックスを持つ他のサブキャリアによる周波数ダイバーシチ利得で補償することができ、サブキャリアの組み合わせが正しく検出される可能性が高くなる。そして、これにより、コードグループが正しく同定されて、セルサーチが成功する確率が高くなり、結果として、セルサーチ時間を短縮することが可能となる。
【００９２】
本発明の第１の態様に係る基地局装置は、複数のサブキャリアから自装置に対応付けられたスクランブルコードが属するコードグループに対応するサブキャリアを選択する選択手段と、選択されたサブキャリアに既知信号を割り当てる割当手段と、前記複数のサブキャリアからマルチキャリア信号を生成する生成手段と、を有する構成を採る。
【００９３】
この構成によれば、複数のサブキャリアから自装置のスクランブルコードが属するコードグループに対応するサブキャリアへ既知信号を割り当て、マルチキャリア信号を生成するため、隣接セル間で既知信号が異なるサブキャリアへ割り当てられる可能性が高くなり、既知信号のセル間干渉を低減することができる。
【００９４】
本発明の第２の態様に係る基地局装置は、上記第１の態様において、前記選択手段は、所定のサブキャリア数おきにサブキャリアを選択する構成を採る。
【００９５】
この構成によれば、所定のサブキャリア数おきに既知信号を割り当てるサブキャリアを選択するため、既知信号が割り当てられたあるサブキャリアの伝搬路の回線品質が悪い場合であっても、他のサブキャリアによる周波数ダイバーシチ利得で補償することができる。
【００９６】
本発明の第３の態様に係る基地局装置は、上記第１の態様において、前記選択手段は、前記スクランブルコードが属するコードグループに対応するサブキャリアに隣接するサブキャリアをさらに選択する構成を採る。
【００９７】
この構成によれば、コードグループに対応するサブキャリアに隣接するサブキャリアにも既知信号を割り当てるため、移動局装置において、サブキャリアごとの相関値に、隣接するサブキャリアの相関値を同相加算し、同相加算後の相関値に基づいてＳＣＨが割り当てられたサブキャリアを検出することが可能となり、移動局装置におけるＳＣＨの相関値のＳＮＲ（Signal Noise Ratio）を改善することができる。
【００９８】
本発明の第４の態様に係る基地局装置は、上記第１の態様において、前記割当手段は、自装置以外の基地局装置と同一の既知信号を選択されたサブキャリアに割り当てる構成を採る。
【００９９】
この構成によれば、基地局装置は、自装置以外の基地局装置と同一の既知信号を選択されたサブキャリアに割り当てるため、複数の既知信号を用意する必要がない。
【０１００】
本発明の第５の態様に係る移動局装置は、基地局装置から送信されるマルチキャリア信号であって、既知信号が割り当てられたサブキャリアを含むマルチキャリア信号を受信する受信手段と、受信されたマルチキャリア信号から前記既知信号が割り当てられたサブキャリアを検出するサブキャリア検出手段と、検出されたサブキャリアに対応するコードグループを、前記基地局装置のコードグループと同定するコードグループ検出手段と、を有する構成を採る。
【０１０１】
この構成によれば、基地局装置から送信されるマルチキャリア信号から、既知信号が割り当てられたサブキャリアを検出し、検出されたサブキャリアに対応するコードグループを、基地局装置がカバーするセルに対応付けられたスクランブルコードが属するコードグループと同定するため、隣接セル間で既知信号が異なるサブキャリアへ割り当てられる可能性が高くなり、既知信号のセル間干渉を低減することができる。また、既知信号が割り当てられたサブキャリアに基づいてコードグループを同定するため、隣接セル間で単一の既知信号を用いることが可能となり、既知信号を固定のサブキャリアに割り当て、既知信号のパターンの違いによりコードグループを同定する場合と比較して、演算量の増加を防止することができる。
【０１０２】
本発明の第６の態様に係る移動局装置は、上記第５の態様において、前記サブキャリア検出手段は、前記マルチキャリア信号と前記既知信号のレプリカとの相関値をすべてのサブキャリアについて算出する相関値算出部、を含み、算出された相関値が大きい方から所定数のサブキャリアを前記既知信号が割り当てられたサブキャリアとして検出する構成を採る。
【０１０３】
この構成によれば、マルチキャリア信号と既知信号とのレプリカとの相関値を全てのサブキャリアについて算出し、算出された相関値が大きい方から所定数のサブキャリアを既知信号が割り当てられたサブキャリアとして検出するため、全サブキャリアが検出の対象となり、既知信号が割り当てられたサブキャリアを確実に検出することができる。
【０１０４】
本発明の第７の態様に係る移動局装置は、上記第５の態様において、前記サブキャリア検出手段は、前記マルチキャリア信号と前記既知信号のレプリカとの相関値をすべてのサブキャリアについて算出する相関値算出部、を含み、算出された相関値が所定の閾値以上のサブキャリアを前記既知信号が割り当てられたサブキャリアとして検出する構成を採る。
【０１０５】
この構成によれば、マルチキャリア信号と既知信号とのレプリカとの相関値を全てのサブキャリアについて算出し、算出された相関値が所定の閾値以上のサブキャリアを既知信号が割り当てられたサブキャリアとして検出するため、相関値の相対比較ではなく、相関値が絶対的に大きいサブキャリアを検出することができ、コードグループの同定をより正確に行うことができる。
【０１０６】
本発明の第８の態様に係る移動局装置は、上記第６または上記７の態様において、前記相関値算出部は、算出されたサブキャリアごとの相関値に、隣接するサブキャリアの相関値を同相加算し、同相加算後の相関値を各サブキャリアの相関値として算出する構成を採る。
【０１０７】
この構成によれば、隣接するサブキャリアの相関値を同相加算し、同相加算後の相関値に基づいてサブキャリアを検出するため、移動局装置において既知信号の相関値のＳＮＲを改善することができる。
【０１０８】
本発明の第９の態様に係る移動局装置は、上記第５の態様において、前記サブキャリア検出手段は、前記マルチキャリア信号と前記既知信号のレプリカとの相関値をすべてのサブキャリアについて算出する相関値算出部、を含み、算出された相関値を所定のサブキャリア数おきに電力加算し、電力加算後の相関値が最も大きいサブキャリアの組み合わせを構成するサブキャリアを、前記既知信号が割り当てられたサブキャリアとして検出する構成を採る。
【０１０９】
この構成によれば、マルチキャリア信号と既知信号とのレプリカとの相関値を全てのサブキャリアについて算出し、算出された相関値を所定のサブキャリア数おきに電力加算し、電力加算後の相関値が最も大きいサブキャリアの組み合わせを構成するサブキャリアを、既知信号が割り当てられたサブキャリアとして検出するため、既知信号が割り当てられたあるサブキャリアの相関値が小さい場合においても、既知信号が割り当てられた他のサブキャリアによる周波数ダイバーシチ利得で補償することができ、サブキャリアの組み合わせが正しく検出される可能性が高くなる。
【０１１０】
本発明の第１０の態様に係る移動局装置は、上記第６から上記第９のいずれかの態様において、前記相関値算出部は、単一の既知信号のレプリカを用いる構成を採る。
【０１１１】
この構成によれば、マルチキャリア信号と単一の既知信号のレプリカとの相関値がサブキャリアごとに算出されるため、移動局装置において複数の既知信号のレプリカを用意する必要がなく、演算量の増加を防止することが可能となる。
【０１１２】
本発明の第１１の態様に係るセルサーチ方法は、基地局装置に対応付けられたスクランブルコードを移動局装置が同定するマルチキャリア通信システムにおいて適用されるセルサーチ方法であって、前記基地局装置が、複数のサブキャリアから自装置に対応付けられたスクランブルコードが属するコードグループに対応するサブキャリアを選択する工程と、選択されたサブキャリアに既知信号を割り当てる工程と、前記複数のサブキャリアからマルチキャリア信号を生成する工程と、生成されたマルチキャリア信号を送信する工程と、前記移動局装置が、前記既知信号が割り当てられたサブキャリアを含むマルチキャリア信号を受信する工程と、受信されたマルチキャリア信号から前記既知信号が割り当てられたサブキャリアを検出する工程と、検出されたサブキャリアに対応するコードグループを、基地局装置がカバーするセルに対応付けられたスクランブルコードが属するコードグループと同定する工程と、を有するようにした。
【０１１３】
この方法によれば、基地局装置が、複数のサブキャリアから自装置のスクランブルコードが属するコードグループに対応するサブキャリアへ既知信号を割り当て、マルチキャリア信号を生成し、生成されたマルチキャリア信号を送信し、移動局装置が、基地局装置から送信されるマルチキャリア信号から、既知信号が割り当てられたサブキャリアを検出し、検出されたサブキャリアに対応するコードグループを、基地局装置がカバーするセルに対応付けられたスクランブルコードが属するコードグループと同定する。このため、隣接セル間で既知信号が異なるサブキャリアへ割り当てられる可能性が高くなり、既知信号のセル間干渉を低減することができる。また、既知信号が割り当てられたサブキャリアに基づいてコードグループを同定するため、隣接セル間で単一の既知信号を用いることが可能となり、既知信号を固定のサブキャリアに割り当て、既知信号のパターンの違いによりコードグループを同定する場合と比較して、演算量の増加を防止することができる。
【産業上の利用可能性】
【０１１４】
本発明の基地局装置、移動局装置、およびセルサーチ方法は、マルチキャリア通信において、演算量の増加を防止しつつ、既知信号のセル間干渉を低減することができ、例えば、マルチキャリア通信において適用される基地局装置、移動局装置、およびセルサーチ方法などに有用である。
【図面の簡単な説明】
【０１１５】
【図１】本発明の実施の形態１に係る基地局装置の構成を示すブロック図
【図２】実施の形態１に係るコードグループとサブキャリアのマッピングパターンの一例を示す図
【図３】実施の形態１に係る移動局装置の構成を示すブロック図
【図４】本発明の実施の形態２に係る基地局装置の構成を示すブロック図
【図５】実施の形態２に係るコードグループとサブキャリアのマッピングパターンの一例を示す図
【図６】実施の形態２に係る移動局装置の構成を示すブロック図
【図７】実施の形態２に係る繰り返しブロック内のインデックスと電力加算後の相関値との関係を示す図
【図８】従来の３段階セルサーチにおけるフレーム構成を示す図
【符号の説明】
【０１１６】
１０１  誤り訂正符号化部
１０２  変調部
１０３  フレーム構成部
１０４  スクランブリング処理部
１０５  コードグループ記憶部
１０６、３０１  ＳＣＨマッピングパターン記憶部
１０７  ＳＣＨサブキャリア選択部
１０８  ＳＣＨ付加部
１０９  ＩＦＦＴ部
１１０  ＧＩ挿入部
１１１  ＲＦ送信部
２０１  ＲＦ受信部
２０２  シンボルタイミング検出部
２０３  ＦＦＴ部
２０４  ＳＣＨ相関値検出部
２０５、４０１  ＳＣＨサブキャリア検出部
２０６  フレームタイミング検出部
２０７  コードグループ検出部
２０８  スクランブルコード同定部
２０９  デスクランブリング処理部
２１０  復調部
２１１  誤り訂正復号部
【図１】
2006324859.tif 000003
【図２】
2006324859.tif 000004
【図３】
2006324859.tif 000005
【図４】
2006324859.tif 000006
【図５】
2006324859.tif 000007
【図６】
2006324859.tif 000008
【図７】
2006324859.tif 000009
【図８】
2006324859.tif 000010